(57)【要約】【課題】  作動音が静粛であり、しかも安全性を向上させ得るデッドボルトを提供する。【解決手段】  錠箱１のフロント板７から出没する先端に、横断面が縦長で細長いコ字形の頭部２ａを形成し、自由端部をその下のスリットから頭部内に挿入され、基端を錠箱の側板に平行な平面内で揺動可能に案内された鈎形のカマ８を、その中央部において頭部に連係させ、頭部がフロント板から突出するとき、カマの先端部をストライクのボルト投入孔に振り入れると共に、頭部の内端のスリット側の段部を錠止レバー１３の先端により衝止するようにしたものにおいて、頭部２ａの内端に、その内端開口を閉塞し、頭部のスリットから突出する作用端の傾斜縁を内側に向けた合成樹脂製のストッパ受２２を設ける。【選択図】  図１
2006207189.tif 000002
【特許請求の範囲】
【請求項１】
錠箱のフロント板から出没する先端に、横断面が縦長で細長いコ字形の頭部を形成し、自由端部をその上又は下のスリットから頭部内に挿入され、基端を錠箱の側板に平行な平面内で揺動可能に案内された鈎形のカマを、その中央部において頭部に連係させ、頭部がフロント板から突出するとき、カマの先端部をストライクのボルト投入孔に振り入れると共に、頭部の内端のスリット側の段部を錠止レバーの先端により衝止するようにしたものにおいて、頭部の内端に、その内端開口を閉塞し、頭部のスリットから突出する作用端の傾斜縁を内側に向けた合成樹脂製のストッパ受を設けたことを特徴とするデッドボルトの構造。
【発明の詳細な説明】
【技術分野】
【０００１】
この発明は、デッドボルトの構造に係り、特に、作動音が静粛であり、しかも安全性を向上させ得るデッドボルトの構造に関する。
【背景技術】
【０００２】
デッドボルトの錠止機構には種々のものがあるが、その一つに特許文献１に記載されたものがある。
【０００３】
このデッドボルトの錠止機構は、後記特許文献１の第１図に示すように、ラッチボルト７や図示しないデッドボルトの先端部に段部を形成し、一方、錠箱の内側に、先端がこの段部の移動軌跡と干渉する施錠角度位置、及び干渉しない解錠位置の間を揺動できる錠止レバー（特許文献１では第１保安レバー３７）を設けるものである。
【特許文献１】実公平３−０４１０１６号公報
【発明の開示】
【発明が解決しようとする課題】
【０００４】
上記した構成のデッドボルトの制御機構は、錠止レバーの揺動角を小さくできるため、特に小さな作動ストロークのソレノイドを用いる電気錠の制御機構として好適である。
【０００５】
しかしながら、このデッドボルトの制御機構は、解錠後は錠止レバーの先端がデッドボルトやラッチボルトの上面或いは下面に弾圧されるので、デッドボルトやラッチボルトをリトラクタによって錠箱内に引っ込めるとき、例えばゴリゴリという不愉快な摺接音が発生する。
【０００６】
そこでこの発明は、特許文献１に記載されているようなデッドボルトの制御機構を用いても不愉快な作動音が発生しないデッドボルトを提供することを目的としている。
【課題を解決するための手段】
【０００７】
上記の目的を達成するため、請求項１に記載の発明は、錠箱のフロント板から出没する先端に、横断面が縦長で細長いコ字形の頭部を形成し、自由端部をその上又は下のスリットから頭部内に挿入され、基端を錠箱の側板に平行な平面内で揺動可能に案内された鈎形のカマを、その中央部において頭部に連係させ、頭部がフロント板から突出するとき、カマの先端部をストライクのボルト投入孔に振り入れると共に、頭部の内端のスリット側の段部を錠止レバーの先端により衝止するようにしたものにおいて、頭部の内端に、その内端開口を閉塞し、頭部のスリットから突出する作用端の傾斜縁を内側に向けた合成樹脂製のストッパ受を設けたことを特徴とする。
【発明の効果】
【０００８】
上記のように構成された請求項１に記載の発明によるデッドボルトは、解錠時錠止レバーの先端をデッドボルトの頭部の内端の移動軌跡外に退避させ、デッドボルトを錠箱の内側に移動させると、ストッパー受の作用端の傾斜縁が錠止レバーの先端と先ず係合し、これらの間に生じる楔作用により錠止レバーが更にデッドボルトから離間するように回動するので、やがて錠止レバーに乗り上がる。
【０００９】
この過程において、合成樹脂製のストッパ受の作用端が錠止レバーと常時摺接し、ストッパ受の材質が合成樹脂であることから、例え錠止レバーが金属製であっても不快な作用音の発生を防止することができる。
【００１０】
また、ストッパ受がデッドボルトの頭部の空間をその内端において閉塞するので、頭部の空間を通して工具を錠箱内に挿入することによる不正解錠を完全に防止することができる、等種々の効果を奏する。
【発明を実施するための最良の形態】
【００１１】
カマ付きのデッドボルトにおいて、断面コ字形の頭部の内端に、その内端開口を閉塞し、頭部のスリットから突出する作用端の傾斜縁を内側に向けた合成樹脂製のストッパ受を設ける、という簡単な構成で、不快な摺接音の発生防止、及び不正解錠の防止、の一石二鳥の効果を得ることができた。
【実施例１】
【００１２】
以下、この発明の実施例を図面を参照して説明する。
図１において符号１は錠箱を示し、この錠箱１において、水平方向（左右方向）に延在し、全体を符号２で示すデッドボルトが水平方向に移動可能に支持、案内されている。
【００１３】
このデッドボルト２の内端部上端縁には、図３及び図４に示すように、間に所定の間隔をおいて、第１及び第２衝止片３、４が突設されている。
【００１４】
一方、図１に示すように、デッドボルト２の上方には、図示しないシリンダ錠、或いはサムターン等に連結された施解錠リング５が回動可能に配設されており、解錠時には施解錠リング５が反時計方向に回動し、その外周部の所定の角度位置に突設された作動アーム６が第２衝止片４を内方（右方）に押動してデッドボルト２の先端部を図示しないストライクから引抜く。
【００１５】
また、施錠時には施解錠リング５が時計方向に回動し、その作動アーム６が第１衝止片３を外方に押動するので、デッドボルト２が図１に示す施錠位置迄移動し、その先端部を錠箱のフロント板７から突出させて図示しないストライク孔に投入する。
【００１６】
なお、図示の実施例におけるデッドボルト２の頭部２ａは板材で構成され、図２乃至図４に示すように、横断面が縦長で細長いコ字形になるように成形されている。
【００１７】
そして、この頭部２ａ内に、鈎形の板材を重合して固定したカマ８の自由端部が、下方の水平なスリットから挿入されて収納されている。
【００１８】
また、カマ８は、図１に示すように、その基端を支軸９によって回動可能に支承され、錠箱１の側板に平行な平面内で揺動可能に支持、案内されている。
【００１９】
更にまた、カマ８の頭部２ａ内における中央部に開口した長穴としての係合孔１１（図１参照）と、デッドボルトの頭部２ａを水平方向に貫通するようにしてこれに固定された係合ピン１２との係合による連係手段により、カマ８はデッドボルトの頭部２ａと連係している。
【００２０】
そのため、解錠時には係合ピン１２が錠箱１内に引込んでいるので、カマ８は図１に鎖線で示すように時計方向に回動していて錠箱内に完全に引込んでいるが、施錠時には、係合ピン１２が外方に移動するので、図１に実線で示すように、半時計方向に回動し、カマ８の先端部が図示しないストライクのボルト投入孔に振り入れられる。
【００２１】
他方、図１に示すように、デッドボルト２の内端部下方にはほぼ水平に延在する錠止レバー１３が配設されており、その内端（右端）を錠止レバー軸１４により回動自在に軸支されている。
【００２２】
そのため、錠止レバー１３は錠箱１の側板に平行な平面内で揺動可能に支持、案内されることになる。
【００２３】
また、錠止レバー１３は、錠止レバー軸１４に巻装された捩りコイルばねとしての錠止レバーばね１５の弾力により、図１で時計方向に付勢されている。
【００２４】
一方、錠止レバー１３の中央部に開口した長穴１６、及び、垂直方向に延在し、長さ方向に移動可能に案内された制御スライダ１７の下端部に植設された制御ピン１８との係合を介して、錠止レバー１３は制御スライダ１７と連係している。
【００２５】
そして、図１に示す施錠状態においては、制御レバー１３は図示の角度位置を保ち、その先端（自由端）をデッドボルトの頭部２ａの内端のスリット側の段部、すなわち、図４に示すスリットが開く側の段部１９に、内側から衝止可能に臨ませている。
【００２６】
そのため、デッドボルト２は錠止レバー１３によって錠止され、施錠状態を安定に保つ。
【００２７】
一方、解錠のため合鍵、サムターン或いはドアのハンドル等により前記施解錠リング５を図１で反時計方向に回動させると、作動アーム６が第２衝止４と係合する前に制御スライダ１７の上端の傾斜部と係合し、これらの間に生じる楔作用により制御スライダ１７が下方に押動され、制御ピン１８によって錠止レバー１３が半時計方向に回動する結果、錠止レバー１３の先端が下降してデッドボルト２の解錠方向の移動が可能になる。
【００２８】
なお、図１において符号２１は思案ばねを示し、この思案ばね２１は施解錠リング５の作動にスナップアクション性を付与する。
【００２９】
以上に説明したデッドボルトの構造は従来からのものであるが、この発明によるデッドボルトの構造上の特徴は、頭部２ａの内端に、その内端の垂直な開口を閉塞するように合成樹脂製のストッパ受２２を設けた点にある。
【００３０】
このストッパ受２２は概ね角柱状で、図５及び図６に示すように、付番しない凹陥部で肉を盗み、図示の実施例ではその一方の側面に突条２０が一体に突設されている。
【００３１】
また、図５及び図６に示すように、ストッパ受２２の下端である作用端２３には傾斜縁２４が形成されている。
【００３２】
更にまた、ストッパ受２２の上端には係止ピン２５が一体に形成されると共に、その中央部の側面を貫通するようにかしめピン孔２６が開口している。
【００３３】
そして、上記のように構成されたストッパ受２４は、突条２０を頭部２ａの内端縁に接合させ、係止ピン２５を頭部２ａの上面内端部に開口した係止孔２７（図３参照）に嵌合させるようにして頭部２ａ内に挿入され、頭部２ａ及びストッパ受２２を貫通する付番しないかしめピンにより固定される（図７参照）。
【００３４】
なお、このストッパ受２２の位置を適切に設定すれば、図１に鎖線で示すように、解錠位置にあるストッパ受２２は解錠位置にあるカマ８より内方にあるので、ストッパ受２２とカマ８は干渉しない。
【００３５】
上記のように構成されたこの発明の一実施例によるデッドボルトは、解錠時、前記したように、錠止レバー１３の先端とストッパ受の傾斜縁２４、及びストッパ受の作用端となる下端と錠止レバー１３との上面とが摺接するが、ストッパ受２２は合成樹脂製であるから、不快な摺接音は発生しない。
【００３６】
また、図２に示すように、デッドボルトの頭部２ａの空間をストッパ受２２が閉塞するので、この空間を通る工具による不正解錠を不可能にすることも前記した通りである。
【図面の簡単な説明】
【００３７】
【図１】この発明の一実施例によるデッドボルトを備えた錠箱の一部断面側面図。
【図２】錠箱の正面図。
【図３】デッドボルトの部品の一部断面平面図。
【図４】デッドボルトの部品の側面図。
【図５】ストッパ受の側面図。
【図６】ストッパ受の背面図。
【図７】デッドボルトの下面図。
【符号の説明】
【００３８】
１  錠箱
２  デッドボルト
２ａ  頭部
３  第１衝止片
４  第２衝止片
５  施解錠リング
６  作動アーム
７  フロント板
８  カマ
９  支軸
１１  係合孔
１２  係合ピン
１３  錠止レバー
１４  錠止レバー軸
１５  錠止レバーばね
１６  長穴
１７  制御スライダ
１８  制御ピン
１９  段部
２２  ストッパ受
２３  作用端
２４  傾斜縁
２５  係止ピン
２６  かしめピン孔
２７  係止孔
【図１】
2006207189.tif 000003
【図２】
2006207189.tif 000004
【図３】
2006207189.tif 000005
【図４】
2006207189.tif 000006
【図５】
2006207189.tif 000007
【図６】
2006207189.tif 000008
【図７】
2006207189.tif 000009